(57)【要約】【課題】非接触ＩＣカード処理部を備えた携帯電話装置であって、金銭的価値を示す数値情報が更新される毎にその旨を報知できると共に、既存の携帯電話機能を利用して報知できるようにする。【解決手段】ＣＰＵ１０１は、非接触ＩＣカード処理チップ１１４のカード残高が更新された際に、携帯電話機能を構成する報知部(報知用ＬＥＤ８、報知用スピーカ９)を駆動制御することによって当該カード残高が更新されたことを報知する。【選択図】  図1
2006093912.tif 000002
【特許請求の範囲】
【請求項１】
外部機器としてのカード処理装置との間で無線通信を行う非接触ＩＣカード処理部を備えた携帯電話装置であって、
前記非接触ＩＣカード処理部内に記録されている金銭的価値を示す数値情報が前記カード処理装置との無線通信によって更新されたか否かを判別する判別手段と、
この判別手段によって数値情報が更新されたことが判別された際に、当該数値情報が更新されたことを報知するために携帯電話機能を構成する報知部を駆動制御する報知制御手段と、
を具備したことを特徴とする携帯電話装置。
【請求項２】
前記携帯電話機能を構成する報知部は、振動モータ、点滅ランプ、スピーカ、メイン表示部、サブ表示部のうち、少なくともその何れかであり、
前記報知制御手段は、携帯電話機能として利用される報知形態とは異なる形態で当該報知部を駆動制御する、
ようにしたことを特徴とする請求項1記載の携帯電話装置。
【請求項３】
前記非接触ＩＣカード処理部内の数値情報を更新する更新値を取得してメイン表示部あるいはサブ表示部に案内表示する案内手段を設けた、ことを特徴とする請求項1あるいは請求項２記載の携帯電話装置。
【請求項４】
前記報知制御手段は、前記非接触ＩＣカード処理部内の数値情報を更新する更新値を取得し、この更新値に応じて報知時間を可変制御する、
ようにしたことを特徴とする請求項1あるいは請求項２記載の携帯電話装置。
【請求項５】
前記報知制御手段は、前記非接触ＩＣカード処理部内の数値情報を更新する更新値を取得し、この更新値に応じて報知パターンを可変制御する、
ようにしたことを特徴とする請求項1あるいは請求項２記載の携帯電話装置。
【請求項６】
前記報知制御手段は、前記非接触ＩＣカード処理部内の数値情報を更新する更新値を取得し、携帯電話機能を構成する複数種の報知部の中から駆動対象となる種類の報知部を当該更新値に応じて変更指定する、
ようにしたことを特徴とする請求項1あるいは請求項２記載の携帯電話装置。
【請求項７】
前記報知制御手段は、前記非接触ＩＣカード処理部内の数値情報を更新する更新値を取得し、携帯電話機能を構成する複数種の報知部の中から駆動対象となる報知部の数を当該更新値に応じて変更指定する、
ようにしたことを特徴とする請求項1あるいは請求項２記載の携帯電話装置。
【請求項８】
前記報知制御手段は、前記非接触ＩＣカード処理部内の数値情報を更新する更新値を取得し、この更新値と予め任意に設定されている設定値とを比較し、この比較結果に応じて報知動作を制御する、
ようにしたことを特徴とする請求項1あるいは請求項２記載の携帯電話装置。
【請求項９】
外部機器としてのカード処理装置との間で無線通信を行う非接触ＩＣカード処理部を備えた携帯電話装置であって、
前記非接触ＩＣカード処理部内に記録されている金銭的価値を示す数値情報が前記カード処理装置との無線通信によって更新された際に、更新後の新たな数値情報を取得する取得手段と、
この取得手段によって得られた更新後の新たな数値情報に応じて携帯電話機能を構成する報知部を駆動制御する報知制御手段と、
を具備したことを特徴とする携帯電話装置。
【請求項１０】
前記携帯電話機能を構成する報知部は、振動モータ、点滅ランプ、スピーカ、メイン表示部、サブ表示部のうち、少なくともその何れかであり、
前記報知制御手段は、携帯電話機能として利用される報知形態とは異なる形態で当該報知部を駆動制御する、
ようにしたことを特徴とする請求項９記載の携帯電話装置。
【請求項１１】
前記報知制御手段は、前記取得手段によって得られた更新後の新たな数値情報が予め設定されている数値以下であることを条件に、携帯電話機能を構成する報知部を駆動制御する、
ようにしたことを特徴とする請求項９あるいは請求項１０記載の携帯電話装置。
【請求項１２】
前記報知制御手段は、前記取得手段によって得られた更新後の新たな数値情報に応じて報知時間あるいは報知パターンを可変制御する、
ようにしたことを特徴とする請求項９あるいは請求項１０記載の携帯電話装置。
【請求項１３】
前記報知制御手段は、携帯電話機能を構成する複数種の報知部の中から駆動対象となる報知部を選択的に指定する場合に、前記非接触ＩＣカード処理部内の数値情報が更新された際には第1の報知部を選択指定し、更新後の新たな数値情報が予め設定されている数値以下に達した際には第２の報知部を選択指定する、
ようにしたことを特徴とする請求項９あるいは請求項１０記載の携帯電話装置。
【請求項１４】
前記報知制御手段は、更新後の新たな数値情報と予め任意に設定されている設定値とを比較し、この比較結果に応じて報知動作を制御する、
ようにしたことを特徴とする請求項９あるいは請求項１０記載の携帯電話装置。
【請求項１５】
コンピュータに対して、
非接触ＩＣカード処理部内に記録されている金銭的価値を示す数値情報が外部機器であるカード処理装置との無線通信によって更新されたか否かを判別する機能と、
数値情報が更新されたことが判別された際に、当該数値情報が更新されたことを報知するために携帯電話機能を構成する報知部を駆動制御する機能と、
を実現させるためのプログラム。
【請求項１６】
コンピュータに対して、
非接触ＩＣカード処理部内に記録されている金銭的価値を示す数値情報が外部機器であるカード処理装置との無線通信によって更新された際に、更新後の新たな数値情報を取得する機能と、
取得した更新後の新たな数値情報に応じて携帯電話機能を構成する報知部を駆動制御する機能と、
を実現させるためのプログラム。
【発明の詳細な説明】
【技術分野】
【０００１】
この発明は、非接触ＩＣカード処理部を備えた携帯電話装置およびプログラムに関する。
【背景技術】
【０００２】
従来、現金、クレジットカードに代わるカード型電子貨幣としては、たとえば、ＩＣカード内に記録されている電子財布の残高を記号で表示するようにした電子財布残高表示システムが知られている（特許文献１参照）。また、非接触ＩＣカード内の電子マネーが更新(減額)された際に、その残高が少なくなった旨をサーバ経由でその利用者所持の携帯電話にメールにて通知するようにした決済情報通知サービスサーバが知られている（特許文献２参照）。
【特許文献１】特開平８−２８７１６９号公報
【特許文献２】特開２００４−０３０２７１号公報
【発明の開示】
【発明が解決しようとする課題】
【０００３】
しかしながら、上述した特許文献１にあっては、暗証番号の入力操作に応答してカード残高を記号表示することによって、カード残高を第三者に知られることなく、何時でも何処でも確認可能であるが、利用者の操作を前提とするものであった。また、上述した特許文献２にあっては、カード残高が少なくなった場合の通知に限られるほか、利用者所持の携帯電話に対してメール通知するため、サーバおよび通信コストを必要とするなどの問題が残る。
【０００４】
ところで、近年、携帯電話装置および非接触ＩＣカードの技術進歩に伴い、たとえば、定期券等として利用可能な携帯電話装置が実用化され、また、プリペイドカード等として利用可能な携帯電話装置も実用化され始めている。この種の携帯電話装置を定期券などの入出場管理用として利用する場合、外部機器であるＩＣカードリーダライタとの間での交信が正常に行われれば、そのまま入出場が許可されるので、利用者にあっては交信の有無などを確認する必要はないが、プリペイドカードの代わりとして利用する場合、その場で交信の有無などを確認できれば、安心して使用できるはずである。すなわち、取引時に正常に取引されたか否か、支払額は幾らか、カード残高はどの位残っているかなど、様々な情報を知ることができれば、安心して使用できるはずであるが、その際、会計端末側の客用表示器側で支払い額などで確認しようとした場合、預かり金、小計などの表示データと錯誤するおそれがあり、また、カード残高を会計端末側で表示させることは、プライバシィなどの点で好ましくない。
【０００５】
第１の発明の課題は、非接触ＩＣカード処理部を備えた携帯電話装置であって、金銭的価値を示す数値情報が更新される毎にその旨を報知できると共に、既存の携帯電話機能を利用して報知できるようにすることである。
【０００６】
第２の発明の課題は、非接触ＩＣカード処理部を備えた携帯電話装置であって、金銭的価値を示す数値情報が更新される毎に更新後の新たな数値情報の概算を知ることができると共に、既存の携帯電話機能を利用して報知できるようにすることである。
【課題を解決するための手段】
【０００７】
請求項１記載の発明（第１の発明）は、外部機器としてのカード処理装置との間で無線通信を行う非接触ＩＣカード処理部を備えた携帯電話装置であって、前記非接触ＩＣカード処理部内に記録されている金銭的価値を示す数値情報が前記カード処理装置との無線通信によって更新されたか否かを判別する判別手段と、この判別手段によって数値情報が更新されたことが判別された際に、当該数値情報が更新されたことを報知するために携帯電話機能を構成する報知部を駆動制御する報知制御手段とを具備したことを特徴とする。
さらに、コンピュータに対して、上述した請求項１記載の発明に示した主要機能を実現させるためのプログラムを提供する（請求項１５記載の発明）。
【０００８】
なお、「非接触ＩＣカード処理部」とは、その全体形状がカード形状を成している必要はなく、非接触ＩＣカードの基本的な機能を備えたものである(以下、同様)。また、「金銭的価値を示す数値情報」とは、前払い金額などをデジタル表現した金額情報のほかに、サービス・ポイントなどであってもよく、金銭的価値を示す情報であれば、その内容は任意である(以下、同様)。また、「外部機器としてのカード処理装置」は、たとえば、ＩＣカードリーダライタなどである(以下、同様)。
【０００９】
なお、請求項１記載の発明は次のようなものであってもよい。
前記携帯電話機能を構成する報知部は、振動モータ、点滅ランプ、スピーカ、メイン表示部、サブ表示部のうち、少なくともその何れかであり、前記報知制御手段は、携帯電話機能として利用される報知形態とは異なる形態で当該報知部を駆動制御する（請求項２記載の発明）。
【００１０】
前記ＩＣカード内の数値情報を更新する更新値を取得してメイン表示部あるいはサブ表示部に案内表示する案内手段を設ける（請求項３記載の発明）。
【００１１】
前記報知制御手段は、前記ＩＣカード内の数値情報を更新する更新値を前記非接触ＩＣカード処理部から取得し、この更新値に応じて報知時間を可変制御する（請求項４記載の発明）。
【００１２】
前記報知制御手段は、前記ＩＣカード内の数値情報を更新する更新値を前記非接触ＩＣカード処理部から取得し、この更新値に応じて報知パターンを可変制御する（請求項５記載の発明）。
【００１３】
前記報知制御手段は、前記ＩＣカード内の数値情報を更新する更新値を前記非接触ＩＣカード処理部から取得し、携帯電話機能を構成する複数種の報知部の中から駆動対象となる種類の報知部を当該更新値に応じて変更指定する（請求項６記載の発明）。
【００１４】
前記報知制御手段は、前記非接触ＩＣカード処理部内の数値情報を更新する更新値を取得し、携帯電話機能を構成する複数種の報知部の中から駆動対象となる報知部の数を当該更新値に応じて変更指定する（請求項７記載の発明）。
【００１５】
前記報知制御手段は、前記非接触ＩＣカード処理部内の数値情報を更新する更新値を取得し、この更新値と予め任意に設定されている設定値とを比較し、この比較結果に応じて報知動作を制御する（請求項８記載の発明）。
【００１６】
請求項９記載の発明（第２の発明）は、外部機器としてのカード処理装置との間で無線通信を行う非接触ＩＣカード処理部を備えた携帯電話装置であって、前記非接触ＩＣカード処理部内に記録されている金銭的価値を示す数値情報が前記カード処理装置との無線通信によって更新された際に、更新後の新たな数値情報を取得する取得手段と、この取得手段によって得られた更新後の新たな数値情報に応じて携帯電話機能を構成する報知部を駆動制御する報知制御手段とを具備したことを特徴とする。
さらに、コンピュータに対して、上述した請求項９記載の発明に示した主要機能を実現させるためのプログラムを提供する（請求項１６記載の発明）。
【００１７】
なお、請求項９記載の発明は次のようなものであってもよい。
前記携帯電話機能を構成する報知部は、振動モータ、点滅ランプ、スピーカ、メイン表示部、サブ表示部のうち、少なくともその何れかであり、前記報知制御手段は、携帯電話機能として利用される報知形態とは異なる形態で当該報知部を駆動制御する（請求項１０記載の発明）。
【００１８】
前記報知制御手段は、前記取得手段によって得られた更新後の新たな数値情報が予め設定されている数値以下であることを条件に、携帯電話機能を構成する報知部を駆動制御する（請求項１１記載の発明）。
【００１９】
前記報知制御手段は、前記取得手段によって得られた更新後の新たな数値情報に応じて報知時間あるいは報知パターンを可変制御する（請求項１２記載の発明）。
【００２０】
前記報知制御手段は、携帯電話機能を構成する複数種の報知部の中から駆動対象となる報知部を選択的に指定する場合に、前記非接触ＩＣカード処理部の数値情報が更新された際には第1の報知部を選択指定し、更新後の新たな数値が予め設定されいる数値以下に達した際には第２の報知部を選択指定する（請求項１３記載の発明）。
【００２１】
前記報知制御手段は、更新後の新たな数値情報と予め任意に設定されている設定値とを比較し、この比較結果に応じて報知動作を制御する（請求項１４記載の発明）。
【発明の効果】
【００２２】
請求項１記載の発明（第１の発明）によれば、非接触ＩＣカード処理部内の数値情報が更新された際に、携帯電話機能を構成する報知部を駆動制御することによって当該数値情報が更新されたことを報知するようにしたから、たとえば、非接触ＩＣカード機能付き携帯電話装置をプリペイドカードの代わりとして使用した場合、取引されたことを手元で即座に確認することができ、使用者に安心感を与えることができる。この場合、特別な操作を行わなくても、カード内容が更新される毎にその旨を報知することができ、サーバ等の特別な装置を設ける必要もなく、既存の携帯電話機能を利用しての報知が可能となり、利便性と実用性を高めることが可能となる。
なお、非接触ＩＣカード処理部の性能、つまり、電波到達可能範囲(送信電波強度、受信電波感度)にもよるが、会計などの決済時には、携帯電話を所持したままの状態あるいは電話本体を外部機器であるカード処理装置にある程度接近させるだけで、自動更新が行われたことを知ることができる。
【００２３】
請求項２記載の発明によれば、上述した請求項１記載の発明と同様の効果を有する他、携帯電話機能を構成する報知部は、振動モータ、点滅ランプ、スピーカ、メイン表示部、サブ表示部のうち、少なくともその何れかであり、携帯電話機能として利用される報知形態とは異なる形態で当該報知部を駆動制御するようにしたから、携帯電話機能に伴う報知か、数値情報の更新に伴う報知かを容易に識別することが可能となる。
【００２４】
請求項３記載の発明によれば、上述した請求項１記載の発明と同様の効果を有する他、数値情報を更新する更新値を取得してメイン表示部あるいはサブ表示部に案内表示するようにしたから、たとえば、会計端末側の客用表示器に代わり、自己の携帯電話によって支払い額、料金、手数料などの更新金額を手元で容易に確認することができる。
【００２５】
請求項４記載の発明によれば、上述した請求項１記載の発明と同様の効果を有する他、数値情報を更新する更新値を取得し、この更新値に応じて報知時間を可変制御するようにしたから、たとえば、支払い額などを数値表示によって確認しなくても、バイブレーションの継続時間あるいはアラーム音の継続時間、点滅ランプの点滅時間などによってその概算を知ることができる。
【００２６】
請求項５記載の発明によれば、上述した請求項１記載の発明と同様の効果を有する他、数値情報を更新する更新値を取得し、この更新値に応じて報知パターンを可変制御するようにしたから、たとえば、支払い額などを数値表示によって確認しなくても、バイブレーションの強さ、アラーム音の回数、点滅ランプの点滅回数などによってその概算を知ることができる。
【００２７】
請求項６記載の発明によれば、上述した請求項１記載の発明と同様の効果を有する他、数値情報を更新する更新値を取得し、携帯電話機能を構成する複数種の報知部の中から駆動対象となる種類の報知部を当該更新値に応じて変更指定するようにしたから、たとえば、支払い額などを数値表示によって確認しなくても、どの種類の報知部が駆動されたかによってその概算を知ることができる。
【００２８】
請求項７記載の発明によれば、上述した請求項１記載の発明と同様の効果を有する他、数値情報を更新する更新値を取得し、携帯電話機能を構成する複数種の報知部の中から駆動対象となる報知部の数を当該更新値に応じて変更指定するようにしたから、たとえば、支払い額などを数値表示によって確認しなくても、バイブレーションとアラーム音との組み合わせ、点滅ランプとアラーム音との組み合わせなどによってその概算を知ることができる。
【００２９】
請求項８記載の発明によれば、上述した請求項１記載の発明と同様の効果を有する他、
数値情報を更新する更新値と予め任意に設定されている設定値とを比較し、この比較結果に応じて報知動作を制御するようにしたから、たとえば、支払い額が千円以上となった場合に報知を望む利用者と１万円以上となった場合に報知を望む利用者などのように利用者に応じた報知が可能となる。
【００３０】
請求項９記載の発明（第２の発明）によれば、非接触ＩＣカード処理部内の数値情報が更新された際に、更新後の新たな数値情報に応じて携帯電話機能を構成する報知部を駆動制御するようにしたから、カードを利用しての取引時に、現在のカード残高を手元で即座に確認することができ、使用者に安心感を与えることができるほか、プライバシィの面でも効果的であり、しかも、既存の携帯電話機能を利用して報知することができるなど、利便性と実用性を高めることが可能となる。
【００３１】
請求項１０記載の発明によれば、上述した請求項９記載の発明と同様の効果を有する他、携帯電話機能を構成する報知部は、振動モータ、点滅ランプ、スピーカ、メイン表示部、サブ表示部のうち、少なくともその何れかであり、携帯電話機能として利用される報知形態とは異なる形態で当該報知部を駆動制御するようにしたから、上述した請求項２記載の発明と同様の効果を有する。
【００３２】
請求項１１記載の発明によれば、上述した請求項９記載の発明と同様の効果を有する他、更新後の新たな数値情報が予め設定されている数値以下であることを条件に、携帯電話機能を構成する報知部を駆動制御するようにしたから、たとえば、残金が少なくなったことをバイブレーション、アラーム音などによって知ることができる。
【００３３】
請求項１２記載の発明によれば、上述した請求項９記載の発明と同様の効果を有する他、更新後の新たな数値情報に応じて報知時間あるいは報知パターンを可変制御するようにしたから、上述した請求項４あるいは５記載の発明と同様の効果を有する。
【００３４】
請求項１３記載の発明によれば、上述した請求項９記載の発明と同様の効果を有する他、携帯電話機能を構成する複数種の報知部の中から駆動対象となる報知部を選択的に指定する場合に、数値情報が更新された際には第1の報知部を選択指定し、更新後の新たな数値情報が予め設定されている数値以下に達した際には第２の報知部を選択指定するようにしたから、数値情報が更新される毎にバイブレーションなどによってその旨を知ることができるほか、たとえば、残金が少なくなったことをアラーム音などによって知ることができる。
【００３５】
請求項１４記載の発明によれば、上述した請求項９記載の発明と同様の効果を有する他、更新後の新たな数値情報と予め任意に設定されている設定値とを比較し、この比較結果に応じて報知動作を制御するようにしたから、たとえば、プリペイドカードにおいて、カード残高が２千円以下となった場合に報知を望む利用者と千円以下となった場合に報知を望む利用者などのように利用者に応じた報知が可能となる。
【発明を実施するための最良の形態】
【００３６】
（実施例１）
以下、図１〜図４を参照して本発明の第1実施例を説明する。
図１は、この実施例における携帯電話装置の外観図であり、(Ａ)は、折り畳み型の装置本体を開いた状態での正面図、(Ｂ)は、その状態での背面図である。
この携帯電話装置は、通話機能、メール機能以外の付加機能として、カメラ撮影機能、インターネット機能、録音機能などが装備されている。この携帯電話装置の正面側には、図１(Ａ)に示すように、キー操作部１、メイン表示部２のほか、通話機能を構成する音声スピーカ３およびマイクロホン４などが設けられている。
【００３７】
また、携帯電話装置の背面側には、図１(Ｂ)に示すように、サブ表示部５、カメラ撮影機能を構成する撮影レンズ６およびフラッシュ用ＬＥＤ７、報知用ＬＥＤ８、報知用スピーカ９、アンテナ１０、録音機能を構成するマイクロホン(録音マイク)１１などが設けられている。キー操作部１は、ダイアル入力、文字入力、コマンド入力を行うものであり、メイン表示部２は、たとえば、2.4インチのカラー液晶画面であり、2６４０×１２００ドットの画像サイズで表示する高精細ディスプレイである。サブ表示部５は、折り畳み式の装置本体を折り畳んだ状態において、たとえば、現在時刻、メッセージなどを案内表示する背面側の画面である。
【００３８】
図２は、携帯電話装置の基本的な構成要素を示したブロック図である。
ＣＰＵ１０１は、記憶部１０２内の各種のプログラムに応じてこの携帯電話装置の全体動作を制御する中央演算処理装置である。記憶部１０２は、不揮発性メモリ(内部メモリ)であり、たとえば、ＲＯＭ(フラッシュメモリなど)によって構成され、プログラム領域とデータ領域とを有し、このプログラム領域には、後述する図４に示す動作手順に応じて本実施例を実現するためのプログラムが格納されている。メモリ(たとえば、ＲＡＭ)１０３は、ワーク領域を有する内部メモリであり、また、メモリカード１０４は、着脱自在な記録メディアであり、たとえば、スマートメディア、ＩＣカードなどによって構成され、ＲＡＭ１０３との間において画像データなどの授受が行われる。
【００３９】
ＣＰＵ１０１には、通信データ処理部１０５、オーディオインターフェイス１０６が接続されており、アンテナ１０からの受信電波が無線部１０７によって検波、復調されると共にデジタル変換されて通信データ処理部１０５に与えられると、通信データ処理部１０５は、通話呼出、メール受信、インターネット受信かを判別し、通話呼出あるいはメール受信であれば、ＣＰＵ１０１は、音源ＩＣ部１０８に設定されている着信音を読み出してアンプ(ＡＭＰ)１０９に与え、報知用スピーカ９から着信音を発生出力させると共に、表示制御部１１０を介して報知用ＬＥＤ８を点滅駆動させる。この場合、着信音の発生を禁止する「マナーモード」にセットされている場合には、モータ制御部１１１を介して振動モータ１１２を駆動させる。
【００４０】
また、ＣＰＵ１０１には、その入出力周辺デバイスであるキー操作部１が接続されていると共に、表示制御部１１０を介してメイン表示部２、サブ表示部５、報知用ＬＥＤ８が接続されているほか、さらには、カメラ撮像部１１３、非接触ＩＣカード処理チップ１１４が接続されている。カメラ撮像部１１３は、撮影レンズ、ミラー等のレンズ・ミラーブロック、ＣＣＤイメージセンサ等の撮像素子、その駆動系のほか、測距センサ、光量センサ、アナログ処理回路、信号処理回路、圧縮伸張回路等を備えたもので、光学ズームを調整制御したり、オートフォーカス時の駆動制御、シャッター駆動制御、露出、ホワイトバランス等を制御する。
【００４１】
非接触ＩＣカード処理チップ１１４は、その全体形状は任意であるが、非接触ＩＣカードが持つ基本的な機能を備えたもので、前払い金額(たとえば、１万円あるいは５千円)が記録されている。この非接触ＩＣカード処理チップ１１４は、専用ＣＰＵ１１４Ａ、メモリ部１１４Ｂ、アンテナ部１１４Ｃを有し、外部機器としてのカード処理装置(ＩＣカードリーダライタ)２０１との間で微弱電波によって近距離通信が行われる。メモリ部１１４Ｂは、たとえば、フラッシュメモリなどによって構成され、図３に示すように、残高メモリＭ１、更新履歴メモリＭ２を有している。なお、アンテナ部１１４Ｃは、電波を送受信するもので、ＩＣカードリーダライタ２０１からの受信電波によって誘起される起電力を非接触ＩＣカードの動作電力として利用してもよいが、携帯電話側の電源部から非接触ＩＣカードの動作電力を得るようにしてもよい。
【００４２】
非接触ＩＣカード処理チップ１１４は、ＩＣカードリーダーライタ２０１からの受信電波を検出すると、残高メモリＭ１からカード残高を読み出してアンテナ部１１４Ｃから発信出力させる。この場合、ＩＣカードリーダーライタ２０１は、たとえば、会計用端末(図示せず)に接続されており、非接触ＩＣカード処理チップ１１４から受信取得したカード残金から今回の取引金額(請求金額)が減算されてカード残高の更新が行われると、この更新後の新たなカード残高をその取引先名、取引年月日、取引金額(更新金額)などの情報と共に、そのアンテナ(図示せず)から発信出力させる。
【００４３】
ここで、非接触ＩＣカード処理チップ１１４は、この更新後の新たなカード残高を取引先名、取引年月日、取引金額(更新金額)などの情報をＩＣカードリーダーライタ２０１から受信取得すると共に、この更新後の新たなカード残高は、残高メモリＭ１に書き込まれてその内容が減額更新されるほか、取引先名、取引年月日、更新金額(今回の取引分の支払い金額)などの情報は、今回の取引に関する履歴データとして更新履歴メモリＭ２に書き込まれる。この場合、携帯電話側のＣＰＵ１０1は、非接触ＩＣカード処理チップ１１４をアクセスして残高メモリＭ１の内容が更新されたかを監視するようにしているが、残高メモリＭ１の内容が更新されると、非接触ＩＣカード処理チップ１１４が更新有り指示を携帯電話側のＣＰＵ１０1に与えるようにしてもよい。また、上述したように、非接触ＩＣカード処理チップ１１４側にはカード専用ＣＰＵ１１４Ａを設けたが、このカード専用ＣＰＵ１１４Ａに代わって携帯電話側のＣＰＵ１０1がその動作を制御するようにしてもよい。
【００４４】
携帯電話側のＣＰＵ１０1は、非接触ＩＣカード処理チップ１１４をアクセスしてカード残高の更新が行われたか否かを監視しており、カード残高の更新が行われた際には、報知用ＬＥＤ８を点滅駆動させると共に、報知用スピーカ９からアラーム音を発生出力させてその旨を報知するほか、非接触ＩＣカード処理チップ１１４内の更新履歴メモリＭ２から更新金額(今回の取引分の支払い金額)を読み出し、この更新金額に応じてモータ制御部１１１を介して振動モータ１１２を駆動させ、バイブレーションの強度および継続時間を可変制御するようにしている。
【００４５】
次ぎに、この第１実施例における携帯電話装置の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体の他に、伝送媒体を介して外部供給されたプログラム／データを利用してこの実施例特有の動作を実行することもできる。
【００４６】
図４は、電源投入に伴って実行開始される携帯電話装置の全体動作を示したフローチャートである。
先ず、ＣＰＵ１０１は、電源オンに伴って待受モードとなると、予め設定されている壁紙用の修飾画像を読み出してメイン表示部２に表示出力させると共に、この待受画面が表示されている待受状態において、通話着信(メール受信)／カード残高の更新有無／入力操作の有無をチェックする(ステップＡ１、Ａ２)。いま、通話着信あるいはメール受信を検出すると(ステップＡ１でＹＥＳ)、「マナーモード」にセットされているかを調べる(ステップＡ３)。
【００４７】
ここで、「マナーモード」が解除されていれば、報知用スピーカ９から着信音を出力させると共に、報知用ＬＥＤ８を点滅駆動させて着信報知を行うが(ステップＡ４)、「マナーモード」にセットされていれば、着信音に代わって出力振動モータ１１２を駆動させてバイブレーションを発生させるほか、報知用ＬＥＤ８を点滅駆動させて着信報知を行う(ステップＡ５)。そして、電話着信(メール受信)操作処理が行われる(ステップＡ６)。この場合、電話着信時には、オンフック操作(応答操作)に応じて通話可能状態となり、通話を切るオフフック操作(終了操作)が行われるまで電話着信操作処理が継続される。また、メール受信時には、受信メールをメールボックスに格納した後に、メール開封操作に応じて受信メールをメイン表示部２に表示させる。その後、ステップＡ１に戻って待受状態となる。
【００４８】
一方、ＣＰＵ１０1は、非接触ＩＣカード処理チップ１１４からのカード残高の更新有り指示に応じてカード残高の減額更新が行われたか否かを監視しており(ステップＡ２)、カード残高の減額更新が行われた際には、報知用ＬＥＤ８を点滅駆動させると共に、報知用スピーカ９からアラーム音を発生出力させてその旨を報知する(ステップＡ７)。この場合、１秒間のランプ点滅と２回の断続音(アラーム音)によってカード残高が更新されたことを報知するようにしているが、その報知形態は任意であり、利用者の好みに応じて設定した報知内容であってもよい。このようなカード残高の更新に伴う報知は、携帯電話機能として利用される報知形態とは異なる形態で行われる。次ぎに、非接触ＩＣカード処理チップ１１４内の更新履歴メモリＭ２から更新金額(今回の取引分の支払い金額)を取得し(ステップＡ８)、モータ制御部１１１を介して振動モータ１１２を駆動させながら更新金額に応じてバイブレーションの強度および継続時間を可変制御する処理に移る。
【００４９】
すなわち、更新金額が所定金額(たとえば、１０００円)以上か否かをチェックし(ステップＡ９)、１０００円未満の場合、つまり、利用者にとって支払い額がそれほど多くない場合には、バイブレーションの強度を「弱」、継続時間を「１秒」とするモータ駆動指令をモータ制御部１１１に与えて振動モータ１１２を駆動させる(ステップＡ１０)。なお、このようなバイブレーションパターンを「単調パターン」と称する。また、更新金額が１０００円以上であれば(ステップＡ９でＹＥＳ)、さらに、更新金額が所定金額(たとえば、５０００円)以上か否かをチェックする(ステップＡ１１)。ここで、上述した所定金額「１０００円」、「５０００円」は、予め利用者が任意に入力して設定した情報であり、必要に応じてその設定値を書き換えることができるようにしている。たとえば、支払い額が千円以上となった場合に報知を望む利用者と１万円以上となった場合に報知を望む利用者などのように利用者に応じた報知に対応可能としている。
【００５０】
ここで、１０００円以上５０００円未満の場合、つまり、利用者にとって支払い額がある程度多い場合には(ステップＡ１１でＮＯ)、バイブレーションの強度を「弱」、継続時間を「２秒」とするモータ駆動指令をモータ制御部１１１に与えて振動モータ１１２を駆動させる(ステップＡ１２)。なお、このようなバイブレーションパターンを「パターン(２)」と称する。さらに、更新金額が５０００円以上であれば(ステップＡ１１でＹＥＳ)、利用者にとって支払い額が高額であれば、バイブレーションの強度を「強」、継続時間を「２秒」とするモータ駆動指令をモータ制御部１１１に与えて振動モータ１１２を駆動させる(ステップＡ１３)。なお、このようなバイブレーションパターンを「パターン(１)」と称する。
【００５１】
次ぎに、更新金額が１０００円以上の場合には(ステップＡ９でＹＥＳ)、上述したバイブレーション報知のほかに、報知用ＬＥＤ８を点滅駆動させるようにしている(ステップＡ１４)。なお、この場合、高速点滅を２秒間継続するようにしているが、アラーム音による報知であってもよい。ここで、カード残高の更新時の報知と更新金額に応じた報知とを区別可能とするために、たとえば、カード残高の更新時には、アラーム音報知、更新金額に応じた報知時には、ランプ点滅報知を行うようにしてもよい。また、カード残高の更新時には、たとえば、アラーム音とランプ点滅とを同時に行い、更新金額に応じた報知時には、たとえば、ランプ点滅のみによる報知時間をさらに延長するようにしてもよい。
【００５２】
このようにして更新金額に応じた報知を行った後は、ステップＡ１５に進み、この更新金額をサブ表示部５に案内表示させた後にステップＡ１に戻る。この待受状態において、何らかの入力操作が行われた際(ステップＡ２でＮＯ)、たとえば、カメラ撮影記録処理、メール送信処理、インターネット接続・受信処理、その他の処理に関するキー操作が行われた際には、操作キーに対応する処理が行われる(ステップＡ１６)。そして、ステップＡ１に戻って、再び待受状態となる。
【００５３】
以上のように、この第１実施例においてＣＰＵ１０１は、非接触ＩＣカード処理チップ１１４のカード残高が更新された際に、携帯電話機能を構成する報知部(報知用ＬＥＤ８、報知用スピーカ９)を駆動制御することによって当該カード残高が更新されたことを報知するようにしたから、たとえば、非接触ＩＣカード機能付き携帯電話装置をプリペイドカードの代わりとして使用した場合、取引されたことを手元で即座に確認することができ、使用者に安心感を与えることができる。この場合、特別な操作を行わなくても、カード内容が更新される毎にその旨を報知することができ、サーバ等の特別な装置を設ける必要もなく、既存の携帯電話機能を利用しての報知が可能となり、利便性と実用性を高めることが可能となる。
【００５４】
この場合、携帯電話機能として利用される報知形態とは異なる形態で当該報知部(報知用ＬＥＤ８、報知用スピーカ９)を駆動制御するようにしたから、携帯電話機能に伴う報知か、カード残高の更新に伴う報知かを容易に識別することが可能となる。
また、カード残高を更新する更新金額をサブ表示部５に案内表示するようにしたから、たとえば、会計端末側の客用表示器に代わり、自己の携帯電話によって支払い額、料金、手数料などの更新金額を手元で容易に確認することができる。
【００５５】
また、ＣＰＵ１０１は、非接触ＩＣカード処理チップ１１４からカード残高を更新する更新金額を取得し、この更新金額に応じてバイブレーションの強さ、報知時間を可変制御するようにしたから、たとえば、支払い額などを数値表示によって確認しなくても、バイブレーションの継続時間、強さによってその概算を知ることができる。つまり、バイブレーションが「単調パターン」であれば、更新金額は１０００円未満であり、「パターン(２)」であれば、更新金額は１０００円以上５０００円未満であり、「パターン(１)」であれば、更新金額は５０００円以上であることを知ることができる。
【００５６】
また、電話機能を構成する複数種の報知部(報知用ＬＥＤ８、報知用スピーカ９)の中から駆動対象となる種類、数の報知部を更新金額に応じて変更指定するようにしたから、たとえば、更新金額(支払い額)を数値表示によって確認しなくても、どの種類の報知部が駆動されたかによってその概算を知ることができる。この場合、駆動対象となる報知部の数を更新金額に応じて変更するようにしたから、バイブレーションとアラーム音との組み合わせ、点滅ランプとアラーム音との組み合わせなどによってその概算を知ることができる。
【００５７】
なお、上述した第１実施例においては、非接触ＩＣカード処理チップ１１４からカード残高を減額更新する更新金額を取得するようにしたが、非接触ＩＣカード処理チップ１１４から更新前のカード残高を読み出して一時記憶しておき、カード残高の更新が行われた際に、更新後の新たなカード残高を非接触ＩＣカード処理チップ１１４から読み出し、更新前のカード残高から更新後のカード残高を減算することによって今回の取引分の更新金額をＣＰＵ１０１側で算出取得するようにしてもよい。
【００５８】
また、上述した第１実施例においては、更新金額をサブ表示部５に案内表示するようにしたが、折り畳み式の電話本体を開いている状態では、メイン表示部２に更新金額を案内表示するようにしてもよい。
また、上述した第１実施例においては、カード残高が更新されたことを報知するようにしたが、非接触ＩＣカードをクレジットカードとして利用する場合には、たとえば、今回の取引金額が記録されてカード内容が更新された際に報知するようにしてもよい。
【００５９】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、非接触ＩＣカード処理部内に記録されている金銭的価値を示す数値情報が外部機器であるカード処理装置との無線通信によって更新されたか否かを判別する機能と、数値情報が更新されたことが判別された際に、当該数値情報が更新されたことを報知するために携帯電話機能を構成する報知部を駆動制御する機能とを実現させるためのプログラムを記録したコンピュータが読み取り可能な記録媒体を提供するようにしてもよい。
（実施例２）
【００６０】
以下、この発明の第２実施例について図５および図６を参照して説明する。
なお、上述した第１実施例においては、カード残高が更新されたことを報知したり、更新金額の概算を報知するようにしたが、この第２実施例においては、カード残高の更新報知のほかに、更新後の新たなカード残高の概算を報知するようにしたものである。
ここで、両実施例において基本的あるいは名称的に同一のものは、同一符号を付して示し、その説明を省略すると共に、以下、第２実施例の特徴部分を中心に説明するものとする。
【００６１】
図５は、携帯電話側のメモリに１０３に任意に設定された残高設定額を説明するための図である。
この残高設定額は、たとえば、前払い金額として１万円あるいは５千円が記録されている非接触ＩＣカード処理チップ１１４において、そのカード残高がどの程度少なくなったかを判定する際に使用されるもので、２種類の残高設定額(１)、(２)を記憶管理するようにしている。ここで、残高設定額(１)が“２５００円”、残高設定額(２)が“５００円”の場合を示し、これらの設定額と現在のカード残高とを比較することによってカード残高は、２５００円以上か、２５００円未満５００円以上か、５００円未満かを判定するようにしている。ここで、上述した残高設定額「２５００円」、「５００円」は、予め利用者が任意に入力して設定した情報であり、必要に応じてその設定値を書き換えることができるようにしている。たとえば、カード残高が２千円以下となった場合に報知を望む利用者と千円以下となった場合に報知を望む利用者などのように利用者に応じた報知に対応可能としている。なお、利用者が希望する残高を任意に設定する際には、３種類以上あるいは１種類の残高を設定するようにしてもよい。
【００６２】
図６は、第２実施例における特徴部分(カード残高に伴う報知処理)を示したフローチャートであり、上述した図４のフローチャートのステップＡ２、Ａ７〜Ａ１５に代わる報知処理を示している。なお、その他の部分については、上述の図４と同様であるため、その説明は省略するものとする。
先ず、ＣＰＵ１０1は、上述した第１実施例と同様、非接触ＩＣカード処理チップ１１４からのカード残高の更新有り指示に応じてカード残高の減額更新が行われたか否かを監視しており(ステップＢ１)、カード残高の減額更新が行われた際には、報知用ＬＥＤ８を点滅駆動させると共に、報知用スピーカ９からアラーム音を発生出力させてその旨を報知する(ステップＢ２)。この場合の報知も上述した第１実施例と同様である。そして、非接触ＩＣカード処理チップ１１４内の残高メモリＭ１から現在のカード残高を読み出し(ステップＢ３)、このカード残高に応じた報知処理が行われる。
【００６３】
すなわち、ＣＰＵ１０1は、カード残高と残高設定額(１)とを比較し、カード残高は２５００円以下かをチェックし(ステップＢ４)、残高設定額(１)を超えていてカード残高に余裕があれば、「単調パターン」で振動モータ１１２を駆動させる(ステップＢ５)。この場合、バイブレーションの強度は「弱」、継続時間は「１秒」となる。また、残高設定額(１)以下であれば(ステップＢ４でＹＥＳ)、カード残高と残高設定額(２)とを比較し、カード残高は５００円以下かをチェックする(ステップＢ６)。
【００６４】
ここで、残高設定額(２)を超えている場合、つまり、２５００円以下ではあるが、５００円を超えていて、ある程度の余裕がある場合には(ステップＢ６でＮＯ)、「パターン(２)」で振動モータ１１２を駆動させる (ステップＢ７)。この場合、バイブレーションの強度は「弱」、継続時間は「２秒」となる。さらに、残高設定額(２)以下でカード残高が少なくなった場合には (ステップＢ６でＹＥＳ)、「パターン(１)」で振動モータ１１２を駆動させると共に、報知用スピーカ９を駆動させてアラーム音を２秒間発生出力させる(ステップＢ８)。この場合、バイブレーションの強度は「強」、継続時間は「２秒」となる。ここで、カード残高が残高設定額(１)以下であれば、バイブレーション報知後にステップＢ９に移り、カード残高をサブ表示部５に案内表示させる。その後、図４のステップＡ１に戻る。
【００６５】
以上のように、この第２実施例においては、非接触ＩＣカード処理チップ１１４のカード残高が更新された際に、更新後の新たなカード残高に応じて携帯電話機能を構成する報知部(振動モータ１１２、報知用スピーカ９)を駆動制御するようにしたから、カードを利用しての取引時に、現在のカード残高を手元で即座に確認することができ、使用者に安心感を与えることができるほか、プライバシィの面でも効果的であり、しかも、既存の携帯電話機能を利用して報知することができるなど、利便性と実用性を高めることが可能となる。
【００６６】
この場合、更新後の新たなカード残高が予め設定されている残高設定額以下であることを条件に、携帯電話機能を構成する報知部(振動モータ１１２、報知用スピーカ９)を駆動制御するようにしたから、たとえば、残金が少なくなったことをバイブレーション、アラーム音などによって知ることができる。また、カード残高に応じてバイブレーションの強さ、報知時間を可変制御するようにしたから、カード残高を数値表示によって確認しなくても、バイブレーションの継続時間、強さによってその概算を知ることができる。
【００６７】
なお、上述した第２実施例においては、カード残高が十分に残っている場合、つまり、残高設定額(１)を超えている場合にも報知動作を行うようにしたが、カード残高が少なくなった場合に限り、報知動作を行うようにしてもよい。
また、上述した第２実施例においては、２種類の残高設定額をユーザが任意に設定可能としたが、カード残高が少なくなった場合に、たとえば、千円単位、百円単位で報知動作を行うようにしてもよい。さらに、上述した第２実施例においては、カード残高をサブ表示部５に案内表示するようにしたが、折り畳み式の電話本体を開いている状態では、メイン表示部２にカード残高を案内表示するようにしてもよい。
【００６８】
また、コンピュータが読み取り可能なプログラムコードを有する記録媒体であって、非接触ＩＣカード処理部内に記録されている金銭的価値を示す数値情報が外部機器であるカード処理装置との無線通信によって更新された際に、更新後の新たな数値情報を取得する機能と、取得した更新後の新たな数値情報に応じて携帯電話機能を構成する報知部を駆動制御する機能とを実現させるためのプログラムを記録したコンピュータが読み取り可能な記録媒体を提供するようにしてもよい。
【００６９】
上述した第１および２実施例においては、報知パターンを可変制御する場合に、バイブレーションの強さを変化させたが、アラーム音の回数、点滅ランプの点滅回数などを変化させてもよい。
また、上述した第１実施例では、報知パターンを更新金額に応じて可変制御する場合、第２実施例では、報知パターンをカード残高に応じて可変制御する場合を個別に示したが、更新金額およびカード残高を同時に報知するようにしてもよい。たとえば、更新金額に応じてバイブレーションパターンを可変制御し、カード残高に応じてランプの点滅パターンを可変制御すれば、同時に報知が可能となる。
【００７０】
その他、上述したように、非接触ＩＣカード処理チップ１１４においてアンテナ部１１４Ｃからの受信電波によって誘起される起電力を非接触ＩＣカードの動作電力として利用してもよいが、携帯電話側の電源部から非接触ＩＣカードの動作電力を得るようにしてもよい。
さらに、非接触ＩＣカード処理チップ１１４側にはカード専用ＣＰＵ１１４Ａを設けたが、このカード専用ＣＰＵ１１４Ａに代わって携帯電話側のＣＰＵ１０1がその動作を制御するようにしてもよい。また、非接触ＩＣカードは、クレジットカードとして利用したり、鉄道、バスの利用時の乗車券、買い物時にプリペイドカードとして利用するようにしてもよく、その利用形態は任意である。
【図面の簡単な説明】
【００７１】
【図１】携帯電話装置の外観図であり、(Ａ)は、折り畳み型の装置本体を開いた状態での正面図、(Ｂ)は、その状態での背面図。
【図２】携帯電話装置の基本的な構成要素を示したブロック図。
【図３】非接触ＩＣカード処理チップ１１４のメモリ部１１４Ｂに設けられている残高メモリＭ１、更新履歴メモリＭ２を示した図。
【図４】電源投入に伴って実行開始される携帯電話装置の全体動作を示したフローチャート。
【図５】携帯電話側のメモリに１０３に任意に設定された残高設定額を説明するための図。
【図６】第２実施例における特徴部分(カード残高に伴う報知処理)を示し、図４のステップＡ２、Ａ７〜Ａ１５に代わる報知処理を示したフローチャート。
【符号の説明】
【００７２】
１  キー操作部
２  メイン表示部
５  サブ表示部
８  報知用ＬＥＤ
９  報知用スピーカ
１０１  ＣＰＵ
１０２  記憶部
１１２    振動モータ
１１４  非接触ＩＣカード処理チップ
Ｍ１  残高メモリ
Ｍ２  更新履歴メモリ
２０１  ＩＣカードリーダライタ
【図１】
2006093912.tif 000003
【図２】
2006093912.tif 000004
【図３】
2006093912.tif 000005
【図４】
2006093912.tif 000006
【図５】
2006093912.tif 000007
【図６】
2006093912.tif 000008